(57)【特許請求の範囲】
【請求項１】
移動体遠距離通信ネットワーク内でインテリジェント・ネットワークの構成要素と短メッセージ・サービス（ＳＭＳ）の構成要素を統合するための方法であって、
前記移動体遠距離通信ネットワークに関連する第一遠距離通信ノードに於いて、送信側移動体加入者からＳＭＳデータを受信側移動体加入者に送信する指示を受信するステップと、
前記送信側移動体加入者または前記受信側加入者のいずれかがインテリジェント・ネットワークで提供されるサービスに加入しているか否かを判定するステップと、そして
肯定的な判定に応答して、
前記インテリジェント・ネットワークに関連した第二遠距離通信ノードを識別し、そして
前記ＳＭＳデータを前記第一遠距離通信ノードから前記第二遠距離通信ノードに対して送信し、
前記送信されたＳＭＳデータをインテリジェント・ネットワークから提供されるサービスで処理し、ここで前記発信側移動体加入者はインテリジェント・ネットワークで提供されるサービスを利用する一方でＳＭＳデータを通信する事が可能であり、
前記処理されたＳＭＳデータを前記第二遠距離通信ネットワークから前記ＳＭＳネットワークに関連した第三遠距離通信ネットワークに転送し、そして
前記転送されたＳＭＳデータを前記第三遠距離通信ノードから前記受信側移動体加入者に送信するステップとを含む前記方法。
【請求項２】
請求項１記載の方法に於いて、前記第一遠距離通信ノードが移動体通信交換局（ＭＳＣ）を含む前記方法。
【請求項３】
請求項１記載の方法に於いて、前記第二遠距離通信ノードがサービス交換点（ＳＳＰ）を含む前記方法。
【請求項４】
請求項１記載の方法に於いて、前記第三遠距離通信ノードが短メッセージ・サービス・センター（ＳＭＳ−Ｃ）を含む、前記方法。
【請求項５】
請求項１記載の方法に於いて、前記受信側移動体加入者がインテリジェント・ネットワークで提供されるサービスに加入しているか否かを判定するための前記ステップが、更にダイアルされたＢ番号のシンタックスを評価することを含む、前記方法。
【請求項６】
請求項１記載の方法に於いて、前記ＳＭＳデータを前記第一遠距離通信ノードから前記第二遠距離通信ノードへ送信する前記ステップが更に、前記ＳＭＳデータをディジタル統合サービス網ユーザ部（ＩＳＵＰ）信号を用いて輸送することを含む前記方法。
【請求項７】
請求項１記載の方法に於いて、インテリジェント・ネットワークで提供される前記サービスが更に、個人番号計画（ＰＮＰ）、発信呼防止機能、非公開使用者グループ機能、制約無効化機能、及び呼迂回機能の内の選択された１つを含む前記方法。
【請求項８】
請求項１記載の方法に於いて、前記送信されたＳＭＳデータを処理する前記ステップが更に、インテリジェント・ネットワークのサービス制御点（ＳＣＰ）への問い合わせを含む、前記方法。
【請求項９】
請求項１記載の方法に於いて、前記転送されたＳＭＳデータの前記第三遠距離通信ノードから前記受信側移動体加入者への前記送信が更に、前記受信側移動体加入者が現在ローミング中であるか否かを判定することを含む、前記方法。
【請求項１０】
インテリジェント・ネットワークの構成要素と短メッセージ・サービス（ＳＭＳ）の構成要素を統合するための移動体遠距離通信ネットワークであって、前記移動体遠距離通信ネットワークに関連し、送信側移動体加入者からＳＭＳデータを受信側移動体加入者に送信する指示を受信するための第一遠距離通信ノードであって、該第一遠距離通信ノードが更に
前記送信側移動体加入者または前記受信側加入者のいずれかがインテリジェント・ネットワークで提供されるサービスに加入しているか否かを判定するための装置と、
肯定的な判定に応答して、前記インテリジェント・ネットワークに関連した第二遠距離通信ノードを識別するための装置と、そして
前記ＳＭＳデータを前記第一遠距離通信ノードから前記第二遠距離通信ノードに対して送信するための装置とを含む前記第一遠距離通信ノードと、
第二遠距離通信ノードから受信されたＳＭＳデータをインテリジェント・ネットワークから提供されるサービスで処理するための前記インテリジェント・ネットワークに関連し第三遠距離通信ネットワークであって、ここで前記発信側移動体加入者はインテリジェント・ネットワークで提供されるサービスを利用する一方でＳＭＳデータを通信する事が可能である前記第三遠距離通信ネットワークと、そして
前記第三遠距離通信ノードから受信された処理済みＳＭＳデータを前記受信側移動体加入者に送信するための前記ＳＭＳネットワークに関連した第四ノードとを含む、前記移動体遠距離通信ネットワーク。
【請求項１１】
請求項１０記載の移動体遠距離通信ネットワークに於いて、前記第一遠距離通信ノードが移動体通信交換局（ＭＳＣ）を含む前記移動体遠距離通信ネットワーク。
【請求項１２】
請求項１０記載の移動体遠距離通信ネットワークに於いて、前記第二遠距離通信ノードがサービス交換点（ＳＳＰ）を含む前記移動体遠距離通信ネットワーク。
【請求項１３】
請求項１０記載の移動体遠距離通信ネットワークに於いて、前記第三遠距離通信ノードがサービス制御点（ＳＣＰ）を含む前記移動体遠距離通信ネットワーク。
【請求項１４】
請求項１０記載の移動体遠距離通信ネットワークに於いて、前記第四遠距離通信ノードが短メッセージ・サービス・センター（ＳＭＳ−Ｃ）を含む前記移動体遠距離通信ネットワーク。
【請求項１５】
請求項１０記載の移動体遠距離通信ネットワークに於いて、前記送信側移動体加入者または前記受信側加入者のいずれかがインテリジェント・ネットワークで提供されるサービスに加入しているか否かを判定するための前記装置が更に、ダイアルされたＢ番号のシンタックスを評価するための装置を含む前記移動体遠距離通信ネットワーク。
【請求項１６】
請求項１０記載の移動体遠距離通信ネットワークに於いて、前記ＳＭＳデータを前記第一遠距離通信ノードから前記第二遠距離通信ノードに対して送信するための前記装置が更に、前記ＳＭＳデータをディジタル統合サービス網ユーザ部（ＩＳＵＰ）信号を用いて輸送するための装置を含む前記移動体遠距離通信ネットワーク。
【請求項１７】
請求項１０記載の移動体遠距離通信ネットワークに於いて、インテリジェント・ネットワークで提供される前記サービスが更に、個人番号計画（ＰＮＰ）、発信呼防止機能、非公開使用者グループ機能、制約無効化機能、及び呼迂回機能の内の選択された１つを含む前記移動体遠距離通信ネットワーク。
【発明の詳細な説明】
産業上の利用分野
本発明は移動体遠距離通信ネットワークに関わり、更に詳細にはインテリジェント・ネットワーク（ＩＮ）サービスを使用した短メッセージ・サービス（ＳＭＳ）メッセージの送信に関する。
従来の技術
遠距離通信技術のたゆまない発展に伴い、インテリジェント・ネットワーク（ＩＮ）並びに関連するサービスの概念は、加入者に知的で高度な遠距離通信サービスを提供する事に発展してきている。ＩＮの背後にある基本概念は、各々のローカル交換機またはサービス交換点（ＳＳＰ）から“情報”を取り出し、その情報をサービス制御点（ＳＣＰ）に提供するようにサービスを集中化することである。特殊な加入者サービスをＳＣＰの中に集中化する事により、新たなサービスを唯１つの場所（このＳＣＰ）のみに追加するだけで、そのＳＣＰに接続されている複数のＳＳＰに接続されている全ての加入者に提供することが可能になる。結果として、複数のＳＳＰによって接続されている多数の加入者が、単一のＳＣＰからサービスを受けられる。
最初ＩＮは、有線遠距離通信加入者にサービスする公衆電話交換網（ＰＳＴＮ）内のみで実施される概念であった。従って、ＳＳＰまたはローカル交換機（ＬＥ）は、接続を持たない信号制御接続部（ＳＣＣＰ）に基づく信号を関連のＳＣＰと通信して関連の有線加入者にサービスを提供していた。移動体用グローバル・システム（ＧＳＭ）に基づく公衆地上移動電話網（ＰＬＭＮ）の様な、ディジタル移動体遠距離通信ネットワークの導入に伴い、ＩＮ技術はまた無線遠距離通信環境でも実施されている。従って、ＰＬＭＮ内の移動体通信交換局（ＭＳＣ）は関連するインテリジェント・ネットワークと通信して、ＩＮサービスを関連する移動体加入者に提供する。
１つのＩＮサービスは個人番号計画（ＰＮＰ：Private Number Plan）機能を含む。多数の移動体加入者が互いに連合されており、各々の連合移動体加入者は短番号(または更に一般的には内線番号として知られている）で識別される。その結果として、それらの連合移動体局機能は構内交換機（ＰＢＸ）加入者と類似しており、１つの移動体加入者は別の連合移動体加入者との呼接続を単に関連づけられた短番号をダイアルするだけで確立することが出来る。その他のこの様なＩＮサービスには発信呼防止、非公開使用者グループ、制約無効化、及び呼迂回が含まれる。
ＧＳＭディジタル式遠距離通信システムの導入に際して、多数の高度非会話サービスが更に移動体加入者に提供された。１つのその様なサービスは短メッセージ・サービスを含む。ＳＭＳメッセージを使用することにより、移動体加入者はテキストメッセージを別の移動体局またはＳＭＳ端末とそれらとの間に呼接続を確立することなく通信する事が可能である。第一移動体加入者は単に希望するテキストメッセージをタイプし、相手先移動体加入者に関連した宛先番号を指示し、そして希望するテキストメッセージを包含するＳＭＳメッセージを送信する。
しかしながら既存システムに係わる１つの欠点または非能率な点は、サービスを行う遠距離通信ネットワークが、第一ネットワークをＩＮサービスの提供に使用し、そして第二ネットワークをＳＭＳメッセージの通信に使用する事である。その結果として、たとえ移動体加入者がＰＮＰ機能を有していたとしても、その移動体加入者は現在のところＳＭＳメッセージを別の連合移動体加入者に対して連合短番号を用いて送信することは出来ない。更に、たとえ移動体加入者が特定の宛先番号への外部呼接続を防止する発信防止機能を有していたとしても、移動体遠距離通信ネットワークはその同一番号へ向けて出ていくＳＭＳメッセージを防止することは出来ない。これは、現在のところＳＭＳメッセージを回送する移動体遠距離通信ネットワークが関連するＩＮとインタフェースされていないからである。
従ってＳＭＳメッセージを移動体遠距離通信ネットワーク内の既存のＩＮサービスにアクセスさせる機構が必要である。
発明の要約
本発明は発信側加入者または受信側加入者のいずれかに関連するＩＮサービスを利用して、移動体遠距離通信ネットワーク内で相互間に構造が統一されていないデータを通信するための方法並びに装置を開示している。
構造が統一されていないデータ（unstructured data）、例えば短メッセージサービスデータを送信するという表示は、個々の移動体加入者にサービスしている移動体交換機センタ（ＭＳＣ）で受信される。続いて発信側加入者またはダイアルされたＢ番号のいずれかがＩＮサービスに関係しているか否かの判定が行われる。関係しているとの決定に応答して、ＳＭＳデータを関連する短メッセージサービスセンタ（ＳＭＳ−Ｃ）に直接送信する代わりに、判定されたＩＮサービスに関連するサービス交換点（ＳＳＰ）の認識番号を確認するための判定が次に行われる。受信されたＳＭＳデータは続いてＩＮサービスを利用するために、決定されたＳＳＰに転送される。ＳＭＳデータは総合ディジタル通信網使用者部（ＩＳＵＰ）信号の中に包含されて、接続されているＳＳＰに送信される。関連のサービス制御点（ＳＣＰ）から回送命令を要求する事により、ＳＳＰは適切なＩＮサービスを受信したＳＭＳデータに適用する。
【図面の簡単な説明】
本発明の方法並びに装置に対する更に完全な理解は、以下の詳細な説明を添付図と共に参照することにより得られるであろう。
図１は移動体局の間での短メッセージ・サービス（ＳＭＳ）メッセージの回送を図示する、第一遠距離通信ネットワークのブロック図である。
図２はインテリジェント・ネットワーク（ＩＮ）サービスの移動体加入者への提供を図示する第二遠距離通信ネットワークのブロック図である。
図３はＳＭＳメッセージを発信している移動体局にＩＮサービスを提供するための、第二遠距離通信ネットワークとインタフェースしている第一遠距離通信ネットワークのブロック図である。
図４は移動体遠距離通信ネットワーク内でＩＮサービスを、ＳＭＳメッセージを発信している移動体局に提供する際の信号シーケンス図である。
図５は移動体遠距離通信ネットワーク内で関連するＩＮサービスを用いてＳＭＳメッセージを回送する際に実行されるステップを記述している流れ図である。
図面の詳細な説明
図１は２つの移動体局間での短メッセージサービス（ＳＭＳ）の回送を図示する第一遠距離通信ネットワーク１０のブロック図である。第一移動体局２０ａは構造が統一されていないデータ、例えばＳＭＳメッセージを現在第一移動体局２０ａにサービスしている第一移動体通信交換局／ビジタロケーションレジスタ（ＭＳＣ／ＶＬＲ）３０ａに向けて送信する。送信されたＳＭＳメッセージは宛先Ｂ番号を含み、制御チャンネル４０、例えばスタンドアローン専用制御チャンネル（ＳＤＣＣＨ）の上を、サービス中のＭＳＣ／ＶＬＲ３０ａに輸送される。サービス中のＭＳＣ／ＶＬＲ３０ａは続いて受信されたＢ番号を分析し、それに基づいて受信されたＳＭＳデータを短メッセージ・サービス・センタ（ＳＭＳ−Ｃ）５０（信号６０）に向けて再回送する。信号６０は総合ディジタル通信網使用者部（ＩＳＵＰ）に基づく信号、例えば初期アドレス・メッセージ（ＩＡＭ）内に包含された受信ＳＭＳデータを含み、接続されている信号システムＮｏ．７（ＳＳ７）遠距離通信ネットワーク上をＳＭＳ−Ｃ  ５０に輸送される。続いてＳＭＳ−Ｃ  ５０はＳＭＳデータを受信したことを肯定確認信号７０をサービス中のＭＳＣ／ＶＬＲ３０ａに戻すことで確認する。
続いてＳＭＳ−Ｃ  ５０は受信ＳＭＳデータを、指示されたＢ番号に関連した関門移動通信交換局（ＧＭＳＣ）８０に向けて転送する（信号９０）。ＧＭＳＣ８０はＳＭＳメッセージのみを取り扱うための個別の遠距離通信ノード（ＳＭＳ−ＧＭＳＣとして知られている）であっても、またはＳＭＳメッセージと同様に入力される呼接続をも取り扱う従来型ＧＭＳＣであっても構わない。ＧＭＳＣ８０はまた、非音声データ送信を処理するためのインターワーキング機能（ＩＷＦ）を装備されていても構わない。受信側移動体局は固定の市内交換機に関連づけられてはいないので、ＧＭＳＣ８０は、受信側移動体局に関連するホーム・ロケーション・レジスタ（ＨＬＲ）１００に呼びかけてその移動体局の現在位置を確認する必要がある。従って、移動体通信応用部（ＭＡＰ）に基づく信号１１０、例えばルーティング命令送信（ＳＲＩ）信号が、ＧＭＳＣ８０から関連するＨＬＲ１００に送信される。このＨＬＲ１００は続いて、現在受信側移動体局２０ｂをサービスしている第二ＭＳＣ／ＶＬＲ３０ｂと通信して、ローミング番号を要求する（通信は図１には示されていないが、図２には図示されている）。現在第二ＭＳＣ／ＶＬＲサービス領域内を移動中の受信側移動体局２０ｂを表す受信されたローミング番号は、続いて別のＭＡＰに基づく信号１２０を介してＧＭＳＣ８０に戻される。
受信されたローミング番号を用いて、ＧＭＳＣ８０は受信されたＳＭＳデータを受信側移動体局２０ｂを現在サービスしている第二ＭＳＣ／ＶＬＲ３０ｂに向けて回送する（信号１３０）。第二ＭＳＣ／ＶＬＲ３０ｂは続いて配信されたＳＭＳデータをＳＤＣＣＨチャンネル４０を介して受信側移動体局２０ｂと通信する。次にデータが成功裏に配信されたことを示す肯定確認信号１４０がＧＭＳＣ８０に戻される。続いてＧＭＳＣ８０は肯定確認信号１４０をＳＭＳ−Ｃ  ５０に転送する。その結果として構造が統一されていないデータ、例えば使用者定義テキストメッセージが第一移動体局２０と第二移動体局２０ｂとの間で、関連する遠距離通信ネットワーク上での回路接続を確立することなく通信される。
本発明のシステム及び方法は遠距離通信ネットワーク内の全ての構造が統一されていないデータに適用できるので、ここに提示されているＳＭＳメッセージに基づく本発明の説明が、本発明の範囲を限定するものではなく発明を説明するためのものであることが理解されよう。その他の構造が統一されていないデータ、例えば構造が統一されていない付帯サービスデータ（ＵＳＳＤ）メッセージ等も等しく本発明が適用できる。
図２はインテリジェント・ネットワーク（ＩＮ）サービスの移動体加入者への提供を図示する第二遠距離通信ネットワーク２００のブロック図である。図示されているように第一移動体局２０ａには個人番号計画（ＰＮＰ）機能が関連づけられている。第一移動体局２０ａは第二移動体局２０ｂに関連した短番号（ＰＢＸ内線に類似）をダイアルし、それらの間の呼接続を要求する。呼接続要求は最初に第一移動体局２０ａをサービスしている第一ＭＳＣ／ＶＬＲ３０ａで受信される。第一移動体局がＩＮサービスに関連していることが判定されると、第一ＭＳＣ／ＶＬＲ３０ａはＩＳＵＰに基づく信号６５、例えばＩＡＭを関連するサービス交換点（ＳＳＰ、またサービス交換機能として知られており、これ以降まとめてＳＳＦ／ＳＳＰと呼ぶ）２１０に送信する。ＳＳＦ／ＳＳＰ２１０は続いて関連するサービス制御点（ＳＣＰ、またサービス制御機能として知られており、これ以降まとめてＳＣＰ／ＳＣＦと呼ぶ）２２０に問い合わせる。従って、通信制御接続部（ＳＣＣＰ）に基づく信号２３０、例えばトランザクション能力アプリケーション部（ＴＣＡＰ）または高度インテリジェント・ネットワーク（ＡＩＮ）に基づく信号がＳＳＦ／ＳＳＰ２１０からＳＣＰ／ＳＣＦ２２０に送信される。次にＳＣＰ／ＳＣＦ２２０はダイアルされたＢ番号に関連する適切なＩＮサービスを判定し、ダイアルされた短番号を回送可能なＥ．１６４形式の宛先番号に変形する。続いて回送可能な宛先番号は要求しているＳＳＦ／ＳＳＰ２１０に、更に別のＳＣＣＰに基づく信号２４０を介して返送される。受信された宛先番号を用いて、呼設定信号が受信された完全宛先番号に関連したＧＭＳＣ８０に転送される（信号２５０）。先に図１で説明したのと同様な方法で、続いてＧＭＳＣ８０はＭＡＰの基づく信号１１０、例えばＳＲＩを関連するＨＬＲ１００に送信する。ＳＲＩ信号１１０はＨＬＲ１００に呼びかけて移動体局２０ｂを表すローミング番号をそこから要求する。続いてＨＬＲ１００は別のＭＡＰに基づく信号２６０を、現在受信側移動体局２０ｂをサービスしている第二ＭＳＣ／ＶＬＲ３０ｂに送信する。ＭＡＰに基づく信号２６０、例えばローミング番号提供（ＰＲＮ）信号は、第二ＭＳＣ／ＶＬＲ３０ｂに対してそのカバー領域内を移動中の第二移動体局２０ｂを表すローミング番号を提供するように要求する。これに応答して第二ＭＳＣ／ＶＬＲ２０ｂはローミング番号をＨＬＲ１００に更に別のＭＡＰに基づく信号２７０を介して提供する。ＨＬＲ１００は続いて、受信されたローミング番号をＧＭＳＣ８０にＭＡＰに基づく信号１２０を介して送り返す。
受信されたローミング番号を用いて、ＧＭＳＣ８０は受信された入力呼接続を第二ＭＳＣ／ＶＬＲ３０ｂに転送する。その結果、別の回路呼接続２８０がＧＭＳＣ８０と第二ＭＳＣ／ＶＬＲ３０ｂとの間で確立される。次に受信側移動体局は第二ＭＳＣ／ＶＬＲ２０ｂからページング呼び出しされ、それらの間に無線接続が確立されて第一移動体局２０ａが受信側移動体局２０ｂと通信可能となる。
先に図示されたように、構造が統一されていないデータを回送するための第一遠距離通信ネットワークは、移動体局との間で呼接続を確立するために使用される第二遠距離通信ネットワークとは異なり別のものである。従って、特定の移動体局に関連し、ＳＣＰ／ＳＣＦで提供されるＩＮサービスは現在のところ構造が統一されていないデータには利用できない。その結果、ＩＮサービスで提供される便利さ及び“情報”は短メッセージ・サービスまたはその他の行動が統一されていないデータサービスの中では欠落してしまう。
次に図３及び図４を参照すると、ＳＭＳメッセージを発信する第一移動体局２０ａにＩＮサービスを提供するための第二遠距離通信ネットワークとインタフェースしている第一遠距離通信ネットワークを図示する。第一移動体局２０ａはＳＭＳメッセージ３３０をサービス中の第一ＭＳＣ／ＶＬＲ３０ａに送信する。次に、第一ＭＳＣ／ＶＬＲ３０ａに関連づけられている応用モジュール３２０は、ＩＮサービスを受信されたＳＭＳメッセージに対して実施する必要があるか否かを判定する。この様な判定を行うために基本的に２つの方法がある。第一の判定方法はＳＭＳメッセージを発信する第一移動体局２０ａが適用可能なＩＮサービスに関連しているか否かを確認することである。第二の判定方法はＳＭＳメッセージを受信する第二移動体局２０ｂが適用可能なＩＮサービスに関連しているか否かを確認する事である。例えば、第一移動体局２０ａがＰＮＰに関連しており、第一移動体局でダイアルされた番号が関連する第二移動体局２０ｂを表す短メッセージ（または内線番号）の場合がある。更に別の事例として、第二移動体局２０ｂが自由電話ＩＮサービスに関連する場合が考えられ、ここでは第二移動体局２０ｂに向けた全ての入力呼接続は、第二移動体局の加入者に課金される。応用モジュール３２０はどちらの個別ＩＮサービスが実施される必要があるかを判定する必要はない。応用モジュール３２０が行う必要があるのは、何らかのＩＮサービスが発信側加入者または受信側加入者のいずれかに関連しているか否かを確認する事だけである。
確認判定に応答して、第一ＭＳＣ／ＶＬＲ３０ａは受信されたＳＭＳメッセージを、判定された加入者に関連するＳＳＦ／ＳＳＰ２１０に転送する（信号３５０）。この様なＳＭＳメッセージを転送する１つの方法は、受信されたＳＭＳメッセージをＩＳＵＰ信号の中に包含し、ＩＳＵＰ信号を接続されている通信システムＮｏ．７（ＳＳ７）遠距離通信ネットワーク内の使用者対使用者通信として指定する。送信されたＩＳＵＰ信号を受信すると、ＳＳＦ／ＳＳＰ２１０は続いてＳＣＣＰに基づく信号２３０を送信し、関連するＳＣＰ／ＳＣＦ２２０を問い合わせる。先に完全に説明されているように、ＳＣＰ／ＳＣＦ２２０は集中化データベースであり、必要なＩＮサービスをその関連する加入者に提供するための加入者及び機能情報を含む。その結果ＳＣＰ／ＳＣＦ２２０は、受信されたＳＭＳメッセージに向けて適用されるべき適切な呼処理を判定する。図示されるように、ＰＮＰ機能に対してＳＣＰ／ＳＣＦ２２０はダイアルされた短番号を、例えば移動電話加入者総合サービス・ディジタル網（ＭＳＩＳＤＮ）番号の様な、第二移動体局２０ｂを表す、回送可能な完全宛先番号に変形する。次に変形された宛先番号がＳＳＦ／ＳＳＰに別のＳＣＣＰに基づく信号２４０経由で提供される。提供された宛先番号を用いて、ＳＳＦ／ＳＳＰ２１０は受信されたＳＭＳデータを接続されているＳＳ７遠距離通信ネットワーク上を関連するＳＭＳ−Ｃ  ５０に回送する。これは単に受信されたＩＳＵＰ信号、例えばＩＡＭ内の宛先アドレスが提供された完全宛先番号を表すように置き換えるだけで実現できる。
従来の方法では、ＳＭＳ−Ｃは次に受信したＳＭＳデータを包含しているＩＳＵＰ信号を関連するＧＭＳＣ８０に転送する。このＧＭＳＣ８０は次に、同様に受信した宛先番号に関連するＨＬＲ１００に問い合わせを行って、受信側移動体局２０ｂの現在位置を確認する（信号１１０）。このＨＬＲ１００は次に別のＭＡＰに基づく信号を送信して、受信側移動体局２０ｂを現在サービスしている第二ＭＳＣ／ＶＬＲ２０ｂから、ローミング番号を要求する（シグナリングは図３には示されていないが、図２に示されている）。第二ＭＳＣ／ＶＬＲ３０ｂからローミング番号を受信すると、ＨＬＲ１００は更に受信したローミング番号を、また別のＭＡＰに基づく信号１２０を介してＧＭＳＣ８０に転送する。現在第二ＭＳＣ／ＶＬＲのカバー領域内を移動中の受信側移動体局を表している受信されたローミング番号を用いて、ＧＭＳＣ８０はＳＭＳデータを含む受信されたＩＳＵＰ信号を第二ＭＳＣ／ＶＬＲ３０ｂに回送することが出来る（信号１３０）。第二ＭＳＣ／ＶＬＲ３０ｂは次に受信したＳＭＳデータをＳＤＣＣＨチャンネル上で受信側移動体局２０ｂに送信する。
図示されるように、第一移動体局２０ａはその関連するＩＮサービスを利用しながら、非会話データの通信を実行することが出来る。その結果、個別の会話接続ネットワークと構造が統一されていないデータ通信ネットワークとが単一ネットワークの中に統合され、構造が統一されていないデータがＩＮサービスにアクセスする事が可能となる。
次に図５を参照すると、これは本発明の教えるところに従い既存のＩＮサービスを用いてＳＭＳデータを通信するために実行されるステップを図示している。ステップ４００に於いて、移動体局は関連する移動体加入者から特定のＢメンバーに向けて外に出ていくＳＭＳメッセージを発信する指示を受信する。受信されたＳＭＳメッセージを直接関連するＳＭＳ−Ｃに送信する代わりに、その移動体局に関連する応用モジュールが、発信側加入者またはダイアル先のＢメンバーのいずれかがＩＮサービスに関連しているか否かの判定を、ステップ４１０で行う。応用モジュールがどちらのＩＮがこの特定のＳＭＳメッセージに対して実行されるべきかを厳密に決定する必要はない。その様な決定は後ほどＳＣＰによって行われるはずである。この応用モジュールで必要なのは、何らかのＩＮサービスが受信側または発信側に関連しているか否かを判定することだけである。応用モジュールはダイアルされたＢ番号がＩＮサービスに関連しているか否かを、ダイアルされたＢ番号のシンタックスを評価することにより判定できる。ダイアルされたＢ番号が完全なＥ．１６４フォーマット化された宛先番号で無い場合、その様な番号はＰＮＰ機能に関連した短番号を表すはずである。ダイアルされた番号はまた特定の市外局番、例えば“８００”または“９００”を含む場合があって、ダイアルされた番号が無料または自由電話を示している。ダイアルされたＢ番号がまた、特定のＩＮサービスに関連したサービスコードである場合もある。
その様な判定を行った後、発信側加入者もダイアルされたＢ番号もＩＮサービスに関連しない場合（ＮＯ判定リンク４７０）、受信されたＳＭＳデータは従来からのやり方でダイアルされたＢ番号に関連するＳＭＳ−Ｃに回送される。
反対に肯定的な判定（ＹＥＳ判定リンク４６０）に応答して、サービス中のＭＳＣ／ＶＬＲは適切なＩＮ遠距離通信ノードを識別する。発信側加入者がＩＮサービスに関連している場合、発信側加入者に関連するＩＮ遠距離通信ノード、例えばＳＳＰが識別される。Ｂ番号または受信側加入者がＩＮサービスに関連している場合、受信側加入者に関連したＩＮ遠距離通信ノードが同様にステップ４２０で識別される。次にＩＳＵＰ信号の中に包含されている受信されたＳＭＳデータが識別されたＳＳＰにステップ４３０で回送される。このＳＳＰは続いて関連するＳＣＰに対して、ステップ４４０で回送命令を問い合わせる。次にＳＣＰはどのＩＮサービスを実行する必要があるかを厳密に決定する。適切なＩＮサービスを実行することにより、ＳＣＰはＳＳＰで受信されたＳＭＳデータを包含するＩＳＵＰ信号をどの様に処理するかを確認する。この様に確認された命令は次にＳＳＰに戻される。受信された命令、例えばダイアルされた短番号に関連した完全な宛先番号を利用して、ＳＳＰはメッセージを受信側宛先番号に関連した適切なＳＭＳ−Ｃに再回送する。
本発明の方法並びに装置の提出された実施例を添付図に図示し先の詳細な説明の中で説明してきたが、本発明は開示された実施例に限定されるものでは無く、種々の再構成、変更並びに置き換えを以下の請求の範囲に定義された本発明の精神から逸脱することなく行えることは理解されるであろう。
【図１】
0003977441.tif 000002
【図２】
0003977441.tif 000003
【図３】
0003977441.tif 000004
【図４】
0003977441.tif 000005
【図５】
0003977441.tif 000006